(57)【要約】      （修正有）【課題】潤滑剤を使用することなくスムーズな回転昇降を確保可能な口紅ケース内管の回転制御構造の提供。【解決手段】充填台１４両側の凸軸１５は該嵌合管１６の導入槽１７内に突出進入する。該回転台１１の回転制御により、該充填台１４は該嵌合管１６の螺旋導入槽１７により駆動され、該内管１０のスライド槽１２に対応し、固定方向の上下昇降伸縮操作を行う。内管１０を回転操作する時、相互に穿設される２個の管間は一定の弾性摩擦阻害力を保持するため、組み立て変形による干渉を受けることはない。こうして内部に充填する口紅本体１８の伸縮使用はスムーズとなる。特に該係合固定片１３の弾性による適当なサポートにより、該口紅本体１８を伸ばし使用する時も圧力により該内管１０が回転し、該口紅本体１８が内部へと収縮する状況の発生を防止することができる。すなわち、口紅使用時の安全性を確保可能である。【選択図】図１
0003116256.tif 000002
【実用新案登録請求の範囲】
【請求項１】
主に内管を含み、
該内管底部は回転台と相互に連結し、該内管両側にはそれぞれスライド槽を形成し、外側に嵌設する嵌合管上の螺旋導入槽に対応し、該内管の中空内部には口紅本体を設置する充填台を組合せ、該内管の回転により口紅の昇降を形成し、
該内管底部と該回転台が相互に接続する周囲縁上には、数個の突出排列する弾性係合固定片を等分に設置し、該嵌合管により外側を覆う時、該係合固定片の突出により、嵌設時の２個の管間の弾性サポートを形成し、該２個の管面間は適当な間隙を保持し、一定の摩擦阻害力を達成し、円滑な回転制御を確保することを特徴とする口紅ケース内管の回転制御構造。
【請求項２】
前記弾性係合固定片は薄片状で適当な高さの突出設計を呈し、挿入組立て後は適当に傾斜湾曲し緊密に固定される構造を形成することを特徴とする請求項１記載の口紅ケース内管の回転制御構造。
【考案の詳細な説明】
【技術分野】
【０００１】
本考案は一種の口紅ケース内管の回転制御構造に関する。特に一種の口紅内管底部の環状周囲面上に適当に突出する数枚の弾性係合固定片を設置し、嵌合管底部と相互に嵌設後は適当な係合状態を呈し、嵌合管はオーバーハング設置を形成し、口紅充填台との間は適当な間隙を具え、口紅の回転力を一致させ円滑な昇降操作を確保可能で、潤滑剤を一切使用する必要がないため、口紅本体の使用が安全で衛生的となる口紅ケース内管の回転制御構造に係る。
【背景技術】
【０００２】
公知の口紅ケースの内管と口紅本体が相互に組合され回転制御される構造設計は、およそ図４、５、６に示すように、内管２０に口紅本体２１の充填台２２を穿置し、該内管２０両側管面にそれぞれL型のスライド槽２３を設置するものである。該管体底部には回転台を接続し、該口紅本体２１を昇降させる回転制御操作を行う。
全体の昇降操作は、主に該内管２０外側に嵌合管２４を穿設し、内部には螺旋導入槽２５を具えることにより、該充填台２２両側の凸軸２６を該スライド槽２３に挿入、組合せ後、該嵌合管２４の螺旋導入槽２５内部に嵌設し、該口紅本体２２を該導入槽２５と該内管２０面上のスライド槽２３に沿って昇降させる。
該公知の口紅本体２１の昇降操作は、通常は手で嵌合管２４の外側を握り、反対の手で底部の充填台２２を持ち該充填台２２を操作し、該螺旋導入槽２５に従い昇降させるもので、該内管２０の直立スライド槽２３に対応し操作することにより、該口紅本体２１を上下に伸縮させることができる。
しかし、公知の嵌合管２４と内管２０間の相互組合せ設計は、部品がすべて塑性材質であるため、回転時にはその真円度の不足或いはサイズのコントロール不良により、実際の組合せ槽道間の相互摩擦を引起している。さらに、実際の口紅の充填台２２は、変形或いはサイズの緩みにより、部品全体が構造に入り込み或いはサイズが合わなくなるなど、組立て後の変形を生じており、実際の昇降回転操作における干渉或いは非円滑などを形成している。この回転が非円滑である状況を改善するため、通常は槽孔上に潤滑剤を塗布し摩擦の減少を図るが、該潤滑剤は極めて高い確率で口紅と混合し得る。しかし、口紅は化学顔料で製造するため、同様に化学材料である潤滑剤と混合すると、口紅の色が変質する可能性がある。さらには、使用における口紅の安全性、衛生状況にも悪影響を及ぼしかねない。加えて潤滑剤の塗布により、該口紅本体２１を伸ばし使用する時には、しばしば唇に塗る時の圧力により、自動的に内部へと収縮し不便である。
【考案の開示】
【考案が解決しようとする課題】
【０００３】
公知構造には以下の欠点があった。
すなわち、公知構造では管面の硬度の不足、成型時の塑性変形による真円度の不足、組立て時に生じ得る押し込みによる偏りなどのために、回転が非円滑となり緩み、また滑移動する状況が発生する。
本考案は上記構造の問題点を解決した口紅ケース内管の回転制御構造を提供するものである。
【課題を解決するための手段】
【０００４】
上記課題を解決するため、本考案は下記の口紅ケース内管の回転制御構造を提供する。
それは主に口紅内管底部の環状周囲面上に適当に突出する数枚の弾性係合固定片を設置し、嵌合管底部と相互に嵌設後は適当な係合状態を呈し、該内管を回転操作する時には一定の摩擦係数を維持し、管体の真円度不足による回転の偏りを改善することができ、
潤滑剤を一切使用する必要がないため、口紅本体の使用が安全で衛生的となり、製品の品質を効果的に向上させることができることを特徴とする口紅ケース内管の回転制御構造である。
【考案の効果】
【０００５】
上記のように、本考案は内管と回転台間の管面上に直接弾性係合固定片を等分に配置し、嵌合管に穿設後、自然に定位、組合され、口紅ケース内管と螺旋嵌合管間の安定的な組立てを実現し、口紅ケース管面の変形により生じる様々な欠点を改善することができる。さらに、潤滑剤の塗布を省くことができるため、口紅の使用における安全性と回転操作の快適性を大幅に向上させることができる。
【考案を実施するための最良の形態】
【０００６】
図１、２、３に示すように、本考案は主に内管１０底部に回転台１１を連結し、相互に結合させることにより回転可能な構造体を構成する。該内管１０の管面両側にはそれぞれL型のスライド槽１２を形成し、管底部の該回転台１１と相互に接続する周囲縁上には、数個の突出排列する薄片状の弾性係合固定片１３を等分に設置し、適当な高さの突出を形成する。こうして、挿入組立て後は適当に傾斜湾曲し緊密に固定される構造を形成する。
また管体内部には両側のスライド槽１２に沿って上下にスライド移動を行う口紅充填台１４を挿入設置する。該充填台１４両側にはそれぞれ凸軸１５を突出し、該スライド槽１２内に設置することにより、該スライド槽１２は固定方向の上下スライド移動を行う。また該内管１０の外側は嵌合管１６により覆うため、該内管１０底部環状周囲面上に設置する係合固定片１３により、該嵌合管１６において嵌設する時、弾性サポート組立てを形成する。こうして、両管面は適当な間隙を保持しつつ組合される。
該嵌合管１６内縁面上には螺旋導入槽１７を設置し、該充填台１４両側の凸軸１５は該嵌合管１６の導入槽１７内に突出進入する。該回転台１１の回転制御により、該充填台１４は該嵌合管１６の螺旋導入槽１７により駆動され、該内管１０のスライド槽１２に対応し、固定方向の上下昇降伸縮操作を行う。
該係合固定片１３の緊密な定位により、該内管１０を回転操作する時、相互に穿設される２個の管間は一定の弾性摩擦阻害力を保持するため、組立て変形による干渉を受けることはない。こうして内部に充填する口紅本体１８の伸縮使用はスムーズとなる。特に該係合固定片１３の弾性による適当なサポートにより、該口紅本体１８を伸ばし使用する時も圧力により該内管１０が回転し、該口紅本体１８が内部へと収縮する状況の発生を防止することができる。すなわち、口紅使用時の安全と安定、実用性を確保可能である。
【０００７】
本考案は該内管１０底部環状周囲面上に等分に排列する係合固定片１３の突出係合設計を通して、該内管１０と該嵌合管１６間の挿入組立てにおいて、一定の間隙を保持する。また２個の管面間は直接接触せず、底部環状周囲面の係合固定片１３だけが相互に緊密に固定、接触するため、２個の管面は適当に分離する。こうして該内管１０全体の回転操作時に、安定的かつ円滑、さらに無駄な力を省きながら操作可能である。
さらに管縁全体の摩擦力が一定で相互に接触しないため、該充填台１４両側のスライド移動する凸軸１５とスライド槽１７間は点接触のスライド移動を形成する。よって、潤滑剤の塗布は一切必要なく、該口紅本体１８の包装使用において、異物と接触する恐れを完全に払拭することができる。こうして安全と衛生を確保可能である。また、塑性或いは管面の硬度不足が原因の組立て時の変形による相互摩擦が非円滑となる欠点を改善することができる。
すなわち、本考案の内管１０と嵌合管１６間の構造設計は口紅の構成部品を大幅に減らすことができる他、公知の口紅ケースにおいて回転操作がスムーズに行かないという欠点を改善可能である。
【図面の簡単な説明】
【０００８】
【図１】本考案口紅ケース内管の立体組合せ分解図である。
【図２】本考案口紅ケース内管の組合せ平面参考図である。
【図３】本考案口紅ケース管面の組合せ断面立体指示図である。
【図４】公知の口紅ケース管面の立体組合せ分解図である。
【図５】公知の口紅ケースの組合せ平面参考図である。
【図６】公知の口紅ケースの組合せ外観参考図である。
【符号の説明】
【０００９】
１０  内管
１１  回転台
１２  スライド槽
１３  係合固定片
１４  充填台
１５  凸軸
１６  嵌合管
１７  導入槽
１８  口紅本体
２０  内管
２１  口紅本体
２２  充填台
２３  スライド槽
２４  嵌合管
２５  導入槽
２６  凸軸
【図１】
0003116256.tif 000003
【図２】
0003116256.tif 000004
【図３】
0003116256.tif 000005
【図４】
0003116256.tif 000006
【図５】
0003116256.tif 000007
【図６】
0003116256.tif 000008